(57)【要約】【課題】本発明は、複数のソケットと係合可能、使用易い転換プラグを提供することを目的とする。【解決手段】本発明の転換プラグは、第１のプラグと、第２のプラグと、を備える。前記第１のプラグは、第１の絶縁性本体と、前記第１の絶縁性本体の一端に取り付ける第１のコネクタと、前記第１の絶縁性本体の他の一端に取り付ける第２のコネクタとと、を有する。前記第２のプラグは、前記第１のプラグに回転可能に取り付けられ、第２の絶縁性本体と、前記第２の絶縁性本体に運動可能に取り付けて、引っ込んで露出可能の第３のコネクタと、前記第２の絶縁性本体に取り付けられる第１のボタンと、を有する。前記第１のコネクタが第２のコネクタと電気的に接続することを保持し、前記第１のボタンの操作によって、第３のコネクタが前記第２のコネクタに取外可能に連接される。【選択図】図２
2014082210.tif 000002
【特許請求の範囲】
【請求項１】
第１の絶縁性本体と、前記第１の絶縁性本体の一端に取り付ける第１のコネクタと、前記第１の絶縁性本体の他の一端に取り付ける第２のコネクタと、を有する第１のプラグと、
前記第１のプラグに回転可能に取り付けられている第２のプラグであって、第２の絶縁性本体と、前記第２の絶縁性本体に運動可能に取り付けて、引っ込んで露出可能の第３のコネクタと、前記第２の絶縁性本体に取り付けられる第１のボタンと、を有する前記第２のプラグと、
を備えている転換プラグにおいて、
前記第１のコネクタが第２のコネクタと電気的に接続することを保持し、前記第１のボタンの操作によって、第３のコネクタが前記第２のコネクタに取外可能に連接されることを特徴とする転換プラグ。
【請求項２】
前記第３のコネクタがカットアウトが形成される金属シェルを備え、
前記第１のボタンが前記カットアウトに保持される操作部を有することを特徴とする請求項１に記載の転換プラグ。
【請求項３】
前記操作部は、前記第３のコネクタに対して、第２のコネクタと第３のコネクタによって定義する係合方向に沿って運動せず、前記係合方向と直交する横方向に沿って運動することを特徴とする請求項２に記載の転換プラグ。
【請求項４】
前記カットアウトは、前記係合方向の第１の長さと、前記横方向の第２の長さとを、有し、
前記第１の長さが、前記第２の長さより小さいことを特徴とする請求項３に記載の転換プラグ。
【請求項５】
前記第２の絶縁性本体には、縦方向のスロットと、前記縦方向のスロットから垂直に延在する横方向のスロットと、を含むＬ形のスロットが形成され、
前記操作部が、前記縦方向のスロットと横方向のスロットとによってガイドされることを特徴とする請求項２に記載の転換プラグ。
【請求項６】
前記第１のプラグの第１の絶縁性本体と前記第２のプラグの第２の絶縁性本体との間の距離が、一定に保たれることを特徴とする請求項１に記載の転換プラグ。
【請求項７】
前記第１の絶縁性本体及び第２の絶縁性本体のうち一方の絶縁性本体には、一対の第１の回転部が設けられ、
前記第１の絶縁性本体及び第２の絶縁性本体のうち他方の絶縁性本体には、前記一対の第１の回転部を収納する第１の円形孔が形成されることを特徴とする請求項６に記載の転換プラグ。
【請求項８】
前記第１の絶縁性本体は、第１の主体部と、前記第１の主体部から延在する一対の第１のビームと、を有し、
前記第１の回転部が、前記第１のビームの内側に設けられ、
前記第１の円形孔が前記第２の絶縁性本体に形成されることを特徴とする請求項７に記載の転換プラグ。
【請求項９】
前記転換プラグは前記第２のプラグに回転可能に取り付けられる第３のプラグを有することを特徴とする請求項１に記載の転換プラグ。
【請求項１０】
前記第２のプラグが、前記第２の絶縁性本体に取り付けられ、前記第３のコネクタと電気的に接続することを保持する第４のコネクタを、有し、
第３のプラグが、第３の絶縁性本体と、前記第３の絶縁性本体に引っ込んで露出される第５のコネクタと、前記第３の絶縁性本体に取り付けられる第２のボタンとを、有し、
前記第２のボタンの操作によって、前記第５のコネクタが、前記第４のコネクタに取外可能に連接されることを特徴とする請求項９に記載の転換プラグ。
【発明の詳細な説明】
【技術分野】
【０００１】
本発明は、複数のソケットと係合可能な転換プラグに関し、特に使用易い転換プラグに関する。
【背景技術】
【０００２】
従来の転換プラグは、絶縁性シェルと、第１のコネクタと、第２のコネクタと、信号プラグと、を備えている。前記絶縁性シェルは、一対の側壁と、回転部材と、を備えている。前記第１のコネクタと第２のコネクタとはそれぞれ、前記絶縁性シェルに取り付けられ、電気的に接続されている。前記信号プラグは、前記絶縁性シェルに回転可能に取り付けられ、前記第２のコネクタと接続する第３のコネクタを有している。前記信号プラグの側辺には、前記回転部材と係合するガイドスロットが形成されている。前記絶縁性シェルが前記第１のコネクタと第２のコネクタとに取り付けられることによって、転換プラグが製造される。前記信号プラグは、異なる方向に滑動可能に移動及び回動させることによって、独立して利用可能な状態にすることができる。これにより、前記信号プラグは、転換プラグを取り外す必要がなく、単独で利用可能とされる。
【先行技術文献】
【特許文献】
【０００３】
【特許文献１】米国特許第７４３１１４１号明細書
【発明の概要】
【発明が解決しようとする課題】
【０００４】
従来技術の第２のコネクタが第３のコネクタに安定に連接することを確保できない。
【０００５】
そこで、本発明の目的は、複数のソケットと係合可能、使用易い転換プラグを提供することである。
【課題を解決するための手段】
【０００６】
前記目的を達成するために、本発明の転換プラグは、第１のプラグと、第２のプラグと、を備える。前記第１のプラグは、第１の絶縁性本体と、前記第１の絶縁性本体の一端に取り付ける第１のコネクタと、前記第１の絶縁性本体の他の一端に取り付ける第２のコネクタとと、を有する。前記第２のプラグは、前記第１のプラグに回転可能に取り付けられ、第２の絶縁性本体と、前記第２の絶縁性本体に運動可能に取り付けて、引っ込んで露出可能の第３のコネクタと、前記第２の絶縁性本体に取り付けられる第１のボタンと、を有する。前記第１のコネクタが第２のコネクタと電気的に接続することを保持し、前記第１のボタンの操作によって、第３のコネクタが前記第２のコネクタに取外可能に連接される。
【発明の効果】
【０００７】
従来の技術と比べると、本発明は以下の長所を有する。本発明の転換プラグは、前記第１のプラグと第２のプラグとを含むことによって、異なるタイプのソケットと係合できる。前記第３のコネクタは、第１のボタンによって、操作し易い。転換プラグは、操作し易いとともに携帯し易い。
【図面の簡単な説明】
【０００８】
【図１】本発明の第１の実施形態の転換プラグの組立図である。
【図２】本発明の転換プラグの分解斜視図である。
【図３】図２に示す転換プラグを別の角度から見た分解斜視図である。
【図４】本発明の第２の実施形態の転換プラグの組立図である。
【図５】本発明の第３の実施形態の転換プラグの組立図である。
【発明を実施するための形態】
【０００９】
図１〜図５に示すように、本発明における転換プラグ１００は、第１のプラグ或いは操作プラグ２と、第２のプラグ或いは操作プラグ３と、第３のプラグ或いはベースプラグ４と、を備えている。前記第１のプラグ２が前記第２のプラグ３に回転可能に取り付けられ、前記第２のプラグ３が前記第３のプラグ４に回転可能に取り付けられることによって、転換プラグ１００が製造される。前記転換プラグ１００は、例えばノートコンピュータ、携帯電話、データカメラ、或いはＤＶＤ、ＰＤＡ、ＭＰ３、ＭＰ４、ＧＰＳなどのような異なるタイプの電気装置の異なるソケットに係合可能とされる。
【００１０】
図２及び図３を参照すると、前記第１のプラグ２は、第１の絶縁性本体２１と、前記第１の絶縁性本体２１の対向の２つの端部に固定された第１のコネクタ２２と第２のコネクタ２３と、を備えている。前記第１の絶縁性本体２１は、第１の主体部２１１と、前記第１の主体部２１１から後向きに延在する一対の第１のビーム２１２と、を有している。前記第１のコネクタ２２が前記第１の主体部２１１の前端から延出しており、前記第２のコネクタ２３が前記第１の主体部２１１の後端に収納されている。前記第１のコネクタ２２と第２のコネクタ２３とは、電気的に接続されている。前記第１のビーム２１２それぞれの内側には、第１の回転部２１２１が設けられている。
【００１１】
図１〜図５を参照すると、特に図１及び図４を参照すると、前記第２のプラグ３は、第２の絶縁性本体３１と、格納可能であるが前記第２の絶縁性本体３１の前端から露出している第３のコネクタ３２と、前記第２の絶縁性本体３１に実装され、前記第３のコネクタ３２を動作させるための第１のボタン３３と、を備えている。前記第２の絶縁性本体３１には、前記第１の回転部２１２１を収納するための一対の第１の円形孔３１１が形成されている。これにより、前記第２のプラグ３が第１のプラグ２に対して回転可能とされるが、第１のプラグ２の第１の絶縁性本体２１と第２のプラグ３の第２の絶縁性本体３１との間の距離は一定に保たれる。第３のコネクタ３２は、第２のコネクタ２３に取外可能に連接されている。第１の実施形態では、図１に表わすように、第３のコネクタ３２が、第２の絶縁性本体３１から延出しており、第２のコネクタ２３と係合し、第２のコネクタ２３と電気的に接続している。第２の絶縁性本体３１には、Ｌ形のスロット３１２が形成されている。前記Ｌ形のスロット３１２は、横方向のスロット３１２１と、横方向のスロット３１２１の前端に形成されていると共に、前記横方向のスロット３１２１と直交している縦方向のスロット３１２２と、を有している。第３のコネクタ３２は、カットアウト３２２が形成されている金属シェル３２１を有している。前記第１のボタン３３は、前記横方向のスロット３１２１と縦方向のスロット３１２２とにガイドされる操作部３３１を具備する。前記操作部３３１は、第３のコネクタ３２の金属シェル３２１のカットアウト３２２に保持されている。前記カットアウト３２２は、係合方向の第１の長さと、前記係合方向と直交する横方向の第２の長さを具備している。前記第１の長さが前記第２の長さより小さいことによって、前記操作部３３１は、前記第３のコネクタ３２に対して前記係合方向に沿ってスライドすることができず、前記横方向に沿ってスライドするようになっている。これにより、前記第１のボタン３３は、前記第２の絶縁性本体３１に対して、前記第３のコネクタ３２を動作させることができる。他の使用を考慮して、操作部３３１が縦方向のスロット３１２２から横方向のスロット３１２１に確実に移動させるように、第１のボタン３３を操作した場合には、第３のコネクタ３２は第２の絶縁性本体３１内に格納される。前記第３のコネクタ３２が前記第１の絶縁性本体２１から取り外されるので、第１のプラグ２１は第２のプラグ３に対して回転可能となる。最後に、図４に表わすように、前記操作部３３１が縦方向のスロット３１２２から横方向のスロット３１２１に確実に移動するように、前記第１のボタン３３を操作することによって、第３のコネクタ３２が、第２の絶縁性本体３１から延出し、独立して異なるソケットと係合する。
【００１２】
図１〜図３、及び図５に表わすように、前記第２のプラグ３は、前記第２の絶縁性本体３１の後端に収納される第４のコネクタ３４と、前記第２の絶縁性本体３１から後向きに延在している一対の第２のビーム３１３と、を備えている。コイル電線（図示しない）を介して、前記第３のコネクタ３２は第４のコネクタ３４に電気的に接続されている。第２のビーム３１３それぞれの内側には、第２の回転部３１３１が設けられている。
【００１３】
図１〜図５に表わすように、第３のプラグ４は、第３の絶縁性本体４１と、前記第３の絶縁性本体４１の前端から露出している第５のコネクタ４２と、第３の絶縁性本体４１に取り付けられ、前記第５のコネクタ４２を動作させるための第２のボタン４３と、を備えている。第５のコネクタ４２は、第４のコネクタ３４に取外可能に連接されている。前記第３の絶縁性本体４１には、前記第２の回転部３１３１を収納する一対の第２の円形孔４１１が形成されている。第２のボタン４３の構造は、第１のボタン３３の構造に類似している。第２のボタン４３が操作された場合には、第５のコネクタ４２が第３の絶縁性本体４１に対して格納される。これにより、前記第２のプラグ３が第３のプラグ４に対して回転可能とされる。図５に表わすように、第５のコネクタ４２が、第３の絶縁性本体４１から延出し、独立して異なるソケットと係合する。
【００１４】
前記第１の回転部２１２１と第１の円形孔３１１とは、回転機能を実現するために、相対的位置を変更することができる。同様に、前記第２の回転部３１３１と第３の円形孔４１１とも、相対的位置を変更することができる。本発明では、回転部２１２１と円形孔３１１と同等であれば、他の部材であってもよい。
【００１５】
第１のコネクタ２２と、第３のコネクタ３２と、第５のコネクタ４２とは、異なるプラグコネクタであり、第２のコネクタ２３と、第４のコネクタ３３とは、異なるソケットコネクタである。この実施形態では、第１のコネクタ２２が３０ｐｉｎのＩ／Ｏプラグコネクタであり、第２のコネクタ２３がｍｉｃｒｏ  ＵＳＢソケットコネクタであり、第３のコネクタ３２がｍｉｃｒｏ  ＵＳＢプラグコネクタであり、第４のコネクタ３３がｍｉｎ  ＵＳＢソケットコネクタであり、第５のコネクタ４２がｍｉｎｉ  ＵＳＢプラグコネクタである。
【００１６】
第３の絶縁性本体４１は、回転構造を追加することによって変更可能であり、これにより異なるタイプのソケットと係合可能な多機能の転換プラグを製造することができる。
【００１７】
前記転換プラグ１００は、少なくとも２つのプラグ２２，３２，４２を有しているので、異なる仕様及びタイプのソケットと係合可能となるように同時並行的に機能することができる。転換プラグ１００の操作に便利な第３のコネクタ３２と第４のコネクタ４２とを動作させるための、第１のボタン３３と第２のボタン４３とを含んでいる。概して、転換プラグ１００は、携行可能であると共に使い勝手が良い。
【００１８】
以上、本発明について好ましい実施形態を参照して詳細に説明したが、実施形態はあくまでも例示的なものであり、これらに限定されるものではない。また上述の説明は、本発明に基づき成し得る細部の修正或いは変更などは、いずれも本発明の技術的範囲に属するものである。
【符号の説明】
【００１９】
１００  転換プラグ
２  第１のプラグ
２１  第１の絶縁性本体
２１１  第１の主体部
２１２  第１のビーム
２１２１  第１の回転部
２２  第１のコネクタ
２３  第２のコネクタ
３  第２のプラグ
３１  第２の絶縁性本体
３１１  第１の円形孔
３１２  Ｌ形のスロット
３１２１  横方向のスロット
３１２２  縦方向のスロット
３１３  第２のビーム
３１３１  第２の回転部
３２  第３のコネクタ
３２１  金属シェル
３２２  カットアウト
３３  第１のボタン
３３１  操作部
３４  第４のコネクタ
４  第３のプラグ
４１  第３の絶縁性本体
４１１  第２の円形孔
４２  第５のコネクタ
４３  第２のボタン
【図１】
2014082210.tif 000003
【図２】
2014082210.tif 000004
【図３】
2014082210.tif 000005
【図４】
2014082210.tif 000006
【図５】
2014082210.tif 000007
【外国語明細書】
2014082210000001.pdf